(57)【要約】      （修正有）【課題】アダプタ全体の長さが小さくても、閉鎖回動時にアダプタ自体を略密閉型とするシャッタ板が、開放側回動時にラッチ片と干渉してしまうのを回避できるようにしたＭＵ型光コネクタ用シャッタ付アダプタを提供するする。【解決手段】シャッタ板１１は、ツマミの上部中央および下部左右両側に形成した方向判別用のガイドキーを案内させるための嵌合部Ａの上部中央および下部左右両側に形成した挿入ガイド用のキー溝２２、２３ａ、２３ｂに対応した形状を備えることで、シャッタ板１１の閉鎖回動時にＭＵ型光コネクタ用アダプタＱ自体を略密閉型と成すと共に、シャッタ板１１の上部左右両側には、当該シャッタ板１１の開放側回動時にラッチ片との接触を回避できるよう切欠部３３を形成して成る。【選択図】図１
2015219346.tif 000002
【特許請求の範囲】
【請求項１】
一端にＭＵ型光コネクタ用プラグの嵌合部を備え、当該嵌合部から挿入されるＭＵ型光コネクタ用プラグのフェルール先端部を装着保持させ且つ割りスリーブの一端側を内装させる一方の円筒が前記一端の嵌合部に向かって突設され、前記嵌合部内に挿入されたＭＵ型光コネクタ用プラグのツマミの左右側面に形成された係止凹部に係架させておくための左右一対のラッチ片が互いに内方に向けて傾斜状となって突設されて成るコネクタハウジングと、
前記コネクタハウジングの他端開口側から嵌挿されるパネル固定用の係止片を備えた筐体によって形成され、一端にＭＵ型光コネクタ用プラグの嵌合部を備え、当該嵌合部から挿入されるＭＵ型光コネクタ用プラグのフェルール先端部を装着保持させ且つ割りスリーブの他端側を内装させる他方の円筒が前記一端の嵌合部に向かって突設され、前記嵌合部内に挿入されたＭＵ型光コネクタ用プラグのツマミの左右側面に形成された係止凹部に係架させておくための左右一対のラッチ片が互いに内方に向けて傾斜状となって突設されて成るスリーブホルダと、
前記コネクタハウジングの少なくとも一方の嵌合部内に斜め配置で当該嵌合部を閉鎖するよう板バネによって閉鎖方向へ付勢され、前記嵌合部からＭＵ型光コネクタ用プラグを挿入して前記板バネの押圧力に抗して開放させるシャッタ板と、
を備えて成るＭＵ型光コネクタ用シャッタ付アダプタであって、
前記シャッタ板は、前記ツマミの上部中央および下部左右両側に形成した方向判別用のガイドキーを案内させるための前記嵌合部の上部中央および下部左右両側に形成した挿入ガイド用のキー溝に対応すべく、当該シャッタ板の上部中央および下部左右両側に突部を形成することで、シャッタ板の閉鎖回動時にＭＵ型光コネクタ用アダプタ自体を略密閉型とすると共に、前記シャッタ板の上部左右両側に切欠部を形成することで、当該シャッタ板の開放側回動時に前記ラッチ片との接触を回避できるようにして成ることを特徴とするＭＵ型光コネクタ用シャッタ付アダプタ。
【請求項２】
シャッタ板の前面には、前記嵌合部からＭＵ型光コネクタ用プラグを挿入してシャッタ板を開放させる際に、当該ＭＵ型光コネクタ用プラグのフェルール先端に接触させないための凹条部を形成して成ることを特徴とする請求項１記載のＭＵ型光コネクタ用シャッタ付アダプタ。
【発明の詳細な説明】
【技術分野】
【０００１】
本発明は、一対の対向するＭＵ型光コネクタ用プラグを相互接続する防塵シャッタ内蔵のＭＵ型光コネクタ用シャッタ付アダプタに関する。
【背景技術】
【０００２】
従来、図８（ｃ）（本願の従来例）に示すように、コネクタハウジング１の嵌合部Ａに斜め配置で当該嵌合部Ａを内側から閉鎖するよう、下端に支軸１５を一体的に有し、この支軸１５両端をコネクタハウジング１の嵌合部Ａの下部に回動可能に支承させてなるシャッタ板１１と、このシャッタ板１１を閉鎖方向へ付勢する板バネ１８とを配設し、コネクタハウジング１の嵌合部Ａに光コネクタプラグを嵌合させることによってシャッタ板１１を板バネ１８の押圧力に抗して開放させるように構成した光コネクタ用アダプタが提案されている。
【０００３】
また、本件出願人による先願である特許文献１に示すように、コネクタハウジングの上側壁の内側中央に光軸方向に沿って直線溝条となったキー溝が形成され、該キー溝に対応してシャッタ板の上端中央は凸部が突設され、シャッタ板が斜め配置となって嵌合部を閉鎖した際には、シャッタ板の凸部でキー溝を内側から密閉するようにし、このシャッタ板は、コネクタハウジングの嵌合部に嵌合する光コネクタをガイドすると共に、シャッタ板を水平位置に保持するよう当該シャッタ板の正面上方両側にガイド部材が付設されてなるＳＣ型光コネクタ用プラグが提案されている。
【０００４】
さらに、本件出願人による先願である特許文献２に示すように、フェルールと、フェルールを先端に固定するホルダと、ホルダの後端に嵌合されるストップリングと、ホルダおよびストップリングを軸廻り方向へ回転自在に挿通、保持するツマミと、ホルダとストップリング間に介在しホルダと一体のフェルールを前方に付勢するコイルスプリングを備えたＭＵ型光コネクタ用プラグが提案されている。
【先行技術文献】
【特許文献】
【０００５】
【特許文献１】特許第４８２４６０８号公報
【特許文献２】特開２００４−１８４７２３号公報（図９参照）
【発明の概要】
【発明が解決しようとする課題】
【０００６】
ところで、上記した特許文献２によるＭＵ型光コネクタ用プラグの一対を相互接続するために、双方向からのＭＵ型光コネクタ用プラグを受け入れ可能となる両端開口の一体構造によるコネクタハウジングを備えたアダプタにおいて、当該コネクタハウジングに上記シャッタ板を内蔵した場合、ＭＵ型光コネクタ用プラグのツマミ自体に方向判別のキーとなる部分が多く存在していることから、上記板バネによってシャッタ板が閉鎖方向に付勢された状態でコネクタハウジング自体を略密閉型とすると、当該シャッタ板の形状が上記キーの形状に応じて複雑化するという問題があった。
【０００７】
すなわち、図８（ａ）、図８（ｂ）、図８（ｃ）に示すように、ＭＵ型光コネクタ用プラグＰ１をコネクタハウジング１の嵌合部Ａ内に適正な方向姿勢となって案内させるために、ツマミ１０１の上部中央および左右両側には方向判別用の凸条のガイドキー１０２、１０３ａ、１０３ｂが存在する。これらガイドキー１０２、１０３ａ、１０３ｂに対応して、コネクタハウジング１の嵌合部Ａの上部中央および左右両側には挿入ガイド用のキー溝２２、２３ａ、２３ｂが形成されるため、これらキー溝２２、２３ａ、２３ｂに対応してシャッタ板１１の形状が複雑になるのである。
【０００８】
また、コネクタハウジング１の内側には、図８（ｃ）に示すように、円筒状の割りスリーブ２４が装着保持された円筒２５ａが一方の嵌合部Ａに向かって突設してあり、またＭＵ型光コネクタ用シャッタ付アダプタの場合では、この円筒２５ａの正面視左右対称位置におけるコネクタハウジング１内側壁に、嵌合部Ａ内に挿入されたＭＵ型光コネクタ用プラグ（ツマミ１０１）の左右側面に形成された係止凹部１０４に係架させておくための正面視で左右一対のラッチ片２６が互いに内方に向けて後向き傾斜状となって突設されていることから、プラグの嵌合によってシャッタ板１１が開放方向に回動したとき、当該シャッタ板１１は上記ラッチ片２６の根元に干渉するという問題があった。
【０００９】
さらに、上記特許文献１に示すＳＣ型光コネクタ用プラグの場合は、方向判別のガイドキー１０２がツマミ１０１の上面一部に突設されてだけでシンプルであり、これに応じてシャッタ板１１の形状もシンプルにすることもできるが、これもまたプラグの嵌合によってシャッタ板１１が開放方向に回動したとき、当該シャッタ板１１がコネクタハウジング１の内側の円筒２５ａに干渉するという問題があった。
【００１０】
而して、このようなシャッタ板１１とラッチ片２６の根元との干渉を回避するためには、シャッタ板１１の位置を前方側にするようコネクタハウジング１の嵌合部Ａの長さを大きくしなくてはならず、ＭＵ型光コネクタ用アダプタ全体の長さが大きくなるという問題があった。
【００１１】
そこで、本発明は、叙上のような従来存した諸事情に鑑み案出されたもので、ＭＵ型光コネクタ用プラグのツマミの上部中央および左右両側に方向判別用の凸条のガイドキーに対応した形状を有し、閉鎖回動時にＭＵ型光コネクタ用シャッタ付アダプタ自体を略密閉型とするシャッタ板において、ＭＵ型光コネクタ用アダプタ全体の長さが小さくても、シャッタ板の開放側回動時にラッチ片と干渉してしまうのを回避できるようにしたＭＵ型光コネクタ用シャッタ付アダプタを提供することを目的とする。
【課題を解決するための手段】
【００１２】
上述した課題を解決するために、本発明にあっては、
一端にＭＵ型光コネクタ用プラグの嵌合部を備え、当該嵌合部から挿入されるＭＵ型光コネクタ用プラグのフェルール先端部を装着保持させ且つ割りスリーブの一端側を内装させる一方の円筒が前記一端の嵌合部に向かって突設され、前記嵌合部内に挿入されたＭＵ型光コネクタ用プラグのツマミの左右側面に形成された係止凹部に係架させておくための左右一対のラッチ片が互いに内方に向けて傾斜状となって突設されて成るコネクタハウジングと、
前記コネクタハウジングの他端開口側から嵌挿されるパネル固定用の係止片を備えた筐体によって形成され、一端にＭＵ型光コネクタ用プラグの嵌合部を備え、当該嵌合部から挿入されるＭＵ型光コネクタ用プラグのフェルール先端部を装着保持させ且つ割りスリーブの他端側を内装させる他方の円筒が前記一端の嵌合部に向かって突設され、前記嵌合部内に挿入されたＭＵ型光コネクタ用プラグのツマミの左右側面に形成された係止凹部に係架させておくための左右一対のラッチ片が互いに内方に向けて傾斜状となって突設されて成るスリーブホルダと、
前記コネクタハウジングの少なくとも一方の嵌合部内に斜め配置で当該嵌合部を閉鎖するよう板バネによって閉鎖方向へ付勢され、前記嵌合部からＭＵ型光コネクタ用プラグを挿入して前記板バネの押圧力に抗して開放させるシャッタ板と、
を備えて成るＭＵ型光コネクタ用シャッタ付アダプタであって、
前記シャッタ板は、前記ツマミの上部中央および下部左右両側に形成した方向判別用のガイドキーを案内させるための前記嵌合部の上部中央および下部左右両側に形成した挿入ガイド用のキー溝に対応すべく、当該シャッタ板の上部中央および下部左右両側に突部を形成することで、シャッタ板の閉鎖回動時にＭＵ型光コネクタ用アダプタ自体を略密閉型とすると共に、前記シャッタ板の上部左右両側に切欠部を形成することで、当該シャッタ板の開放側回動時に前記ラッチ片との接触を回避できるようにして成ることを特徴とする。
【００１３】
また、シャッタ板の前面には、前記嵌合部からＭＵ型光コネクタ用プラグを挿入してシャッタ板を開放させる際に、当該ＭＵ型光コネクタ用プラグのフェルール先端に接触させないための凹条部を形成して成るることを特徴とする。
【発明の効果】
【００１４】
本発明によれば、ＭＵ型光コネクタ用プラグのツマミの上部中央および左右両側に方向判別用の凸条のガイドキーに対応した形状を有し、閉鎖回動時にＭＵ型光コネクタ用シャッタ付アダプタ自体を略密閉型とするシャッタ板において、ＭＵ型光コネクタ用アダプタ全体の長さが小さくても、シャッタ板の開放側回動時にラッチ片と干渉してしまうのを回避することができる。
【００１５】
すなわち、本発明では、シャッタ板の上部左右両側には、当該シャッタ板の開放側回動時にラッチ片との接触を回避できるよう切欠部を形成して成るので、シャッタ板の開放側回動時には、この切欠部によってシャッタ板とラッチ片とが接触せずに当該シャッタ板を回動させることができ、これによりＭＵ型光コネクタ用シャッタ付アダプタ全体の長さが小さくても、ラッチ片との干渉を未然に回避することができる。
【００１６】
また、シャッタ板の前面には、前記嵌合部からＭＵ型光コネクタ用プラグを挿入してシャッタ板を開放させる際に、当該ＭＵ型光コネクタ用プラグのフェルール先端に接触させないための凹条部を形成して成るので、ＭＵ型光コネクタ用プラグの挿入時にシャッタ板の前面にゴミ等が付着しないようにすることができる。
【図面の簡単な説明】
【００１７】
【図１】本発明を実施するための一形態を示すＭＵ型光コネクタ用シャッタ付アダプタの分解斜視図である。
【図２】同じくＭＵ型光コネクタ用シャッタ付アダプタのコネクタハウジング、スリーブホルダ、シャッタ板それぞれを組立てた状態を示すもので、（ａ）は斜視図、（ｂ）は縦断面図である。
【図３】同じくＭＵ型光コネクタ用シャッタ付アダプタのコネクタハウジング、スリーブホルダ、シャッタ板それぞれを組立てた状態を示すもので、（ａ）は右側面図、（ｂ）は横断面図である。
【図４】コネクタハウジングの構成の一例を示すもので、（ａ）は右側面図、（ｂ）は横断面図である。
【図５】スリーブホルダの構成の一例を示すもので、（ａ）は右側面図、（ｂ）は横断面図である。
【図６】シャッタ板の構成の一例を示すもので、（ａ）は斜視図、（ｂ）は正面図、（ｃ）は右側面図、（ｄ）は背面図、（ｅ）は（ｂ）のＡ−Ａ断面図である。
【図７．１】同じくＭＵ型光コネクタ用シャッタ付アダプタへの光コネクタの挿入過程を説明するもので、（ａ）は挿入前の状態の中央縦断面図、（ｂ）は挿入によりシャッタ板が押されて傾倒している状態の中央縦断面図である。
【図７．２】さらに、ＭＵ型光コネクタ用シャッタ付アダプタへの光コネクタの挿入過程を説明するもので、（ｃ）は挿入している状態の中央縦断面図、（ｄ）は挿入後の状態の中央縦断面図である。
【図８】従来例を示すもので、（ａ）はＭＵ型光コネクタ用プラグの斜視図、（ｂ）はＭＵ型光コネクタ用プラグの正面図、（ｃ）はＭＵ型光コネクタ用シャッタ付アダプタの中央縦断面図である。
【発明を実施するための形態】
【００１８】
以下、図面を参照して本発明の実施の一形態を詳細に説明する。
本実施形態においては、図７に示すように、一対の対向するＭＵ型光コネクタ用プラグＰ１（以後、プラグ本体と略称する）を相互接続するためのＭＵ型光コネクタ用シャッタ付アダプタＱ（以後、アダプタ本体と略称する）を構成するもので、図１乃至図５に示すように、アダプタ本体Ｑは、一端に一方のプラグ本体Ｐ１の嵌合部Ａを備えたコネクタハウジング１と、一端に他方のプラグ本体Ｐ１（図示せず）の嵌合部Ｂを備えたスリーブホルダ２１と、前記嵌合部Ａからプラグ本体Ｐ１を挿入して後述する板バネ１８の押圧力に抗して開放させるシャッタ板１１と、を備えている。
【００１９】
プラグ本体Ｐ１は、上記した従来例における図８（ａ）、図８（ｂ）に示すように、後端にホルダを嵌合固定させてあるフェルール１０５と、コイルスプリング（図示せず）と、ストップリング（図示せず）と、ツマミ１０１を主要部材として構成されている。前記フェルール１０５は、軸心に貫通して形成した微小孔に、光ファイバケーブル先端の被覆を剥離した光ファイバを挿通して接着固定させてある。また、嵌合部Ａ内に挿入されたプラグ本体Ｐ１のツマミ１０１の左右側面には、コネクタハウジング１の後述する左右一対のラッチ片２６を各係架させるための係止凹部１０４が形成されている（図８（ａ）参照）。さらにツマミ１０１の上部中央および下部左右両側には、コネクタハウジング１への装着嵌合時における方向判別用のガイドキー１０２、１０３ａ、１０３ｂが形成されている（図８（ａ）、図８（ｂ）参照）。
【００２０】
このようにツマミ１０１を形成することにより、ホルダ先端に固定されたフェルール１０５は、ツマミ１０１の嵌合孔内の軸心位置において、先端部が前方へ突出される。すなわち、前記ツマミ１０１の２個の嵌合孔間には、前記ホルダの鍔部用係止段部（図示せず）が形成され、他端がストップリングの係止鍔に係止された状態で、ホルダ後端の案内筒に外挿、保持されたコイルスプリングの弾発力によりフェルール１０５が前方へ突出するよう、鍔部が係止段部に係止される一方、アダプタ本体Ｑを介しての接続時にフェルール１０５が他方のフェルール１０５と接触して押圧力を受けた際、コイルスプリングの弾発力に抗してホルダと共にフェルール１０５がツマミ１０１の嵌合孔内を後退するようになっている。
【００２１】
コネクタハウジング１は、図１、図２、図３、図４に示すように、上側壁１ａと左右の側壁１ｂと底壁１ｃとで箱枠状となって一体に形成されると共に、一方のプラグ本体Ｐ１を挿入可能とする嵌合部Ａを一端に備えている。なお、底壁１ｃの一部は、後述するシャッタ板１１が取付けられるよう左右の側壁１ｂ嵌着されている。また、コネクタハウジング１の他端は、パネル固定用の係止片Ｋを備えた矩形状の筐体によって形成されたスリーブホルダ２１を内挿するための矩形筒状の開口部Ｄとなっており、この開口部Ｄの端部から左右両側にかけては、スリーブホルダ２１の前記係止片Ｋを挿通するための横長のスリット部Ｓが形成されている。また、コネクタハウジング１の前記嵌合部Ａの上部中央および下部左右両側には、前記プラグ本体Ｐ１に有するツマミ１０１の上部中央および下部左右両側に形成した方向判別用のガイドキー１０２、１０３ａ、１０３ｂを案内させるための挿入ガイド用のキー溝２２、２３ａ、２３ｂが形成されている。なお、コネクタハウジング１の左右の側壁１ｂの中間部には、中央に取付孔を有する取付フランジＬが形成されている。
【００２２】
さらに、コネクタハウジング１の中央部には一方の接合端壁部３ａが配されており、この接合端壁部３ａには、前記嵌合部Ａから挿入されるプラグ本体Ｐ１のフェルール１０５先端部を外嵌状に装着保持し且つ内側に円筒状の割りスリーブ２４の一端側（全長の半分）を収容するための一方の円筒２５ａが一方の嵌合部Ａに向かって突設してある。さらにまた、コネクタハウジング１の左右内壁には、前記嵌合部Ａ内に挿入されたプラグ本体Ｐ１のツマミ１０１の左右側面に形成された係止凹部１０４に係架させるための左右一対のラッチ片２６が互いに内方に向けて傾斜状となって突設されている。
【００２３】
スリーブホルダ２１は、図１、図２、図３、図５に示すように、上側壁２１ａと左右の側壁２１ｂと底壁２１ｃとで正面視略コ字枠状となって一体に形成されると共に、他方のプラグ本体Ｐ１（図示せず）を挿入可能とする嵌合部Ｂを一端に備えている。また、スリーブホルダ２１の左右側面には、パネル固定用のバネ片状となった係止片Ｋを備え、この係止片Ｋの付け根から嵌合部Ｂにかけては、前記コネクタハウジング１のスリット部Ｓに挿入し係合させるための略矩形状となった上下一対の突起２７が形成されている。また、上記した前記コネクタハウジング１の嵌合部Ａと同様に、前記コネクタハウジング１の嵌合部Ｂの上部中央および下部左右両側には、前記プラグ本体Ｐ１に有するツマミ１０１の上部中央および下部左右両側に形成した方向判別用のガイドキー１０２、１０３ａ、１０３ｂを案内させるための挿入ガイド用のキー溝２２、２３ａ、２３ｂが形成されている。
【００２４】
さらに、スリーブホルダ２１の他端は、他方の接合端壁部３ｂによって閉塞されており、この接合端壁部３ｂには、前記嵌合部Ｂから挿入される他方のプラグ本体Ｐ１のフェルール１０５先端部を外嵌状に装着保持し且つ内側に円筒状の割りスリーブ２４の他端側（全長の他の半分）を収容するための他方の円筒２５ｂが他方の嵌合部Ｂに向かって突設してある。また、上記したコネクタハウジング１と同様に、スリーブホルダ２１の左右内壁には、前記嵌合部Ｂ内に挿入された他方のプラグ本体Ｐ１（図示せず）のツマミ１０１の左右側面に形成された係止凹部１０４に係架させるための左右一対のラッチ片２６が互いに内方に向けて傾斜状となって突設されている。
【００２５】
なお、図１に示すように、既述した実施形態で採用されているコネクタハウジング１の一方の嵌合部Ａの上端には、上向き傾斜の傾斜部１ｄを形成してある。また、他方の嵌合部ＢもＭＵ型光コネクタ用プラグ（上記プラグ本体Ｐ１）を挿入するものとなっている。
【００２６】
シャッタ板１１は、コネクタハウジング１の一方の嵌合部Ａに前記傾斜部１ｄに適合するよう斜め配置で当該嵌合部Ａを内側で開閉可能となるように配置されている。すなわち、このシャッタ板１１は、その下端水平位置に支軸１５を一体突設し、該支軸１５両端の対称位置に設けられた突部１５ａを、前記コネクタハウジング１の嵌合部Ａの嵌合端下部の左右対向位置における底壁１ｃ、左右の側壁１ｂそれぞれに跨って形成された軸孔１６に回動可能に支承させてある。
【００２７】
そして、これらシャッタ板１１下端と支軸１５とが連設されている略中央には矩形状の開口部１７が形成され、該開口部１７を介して、略Ｌ字形状に折曲して形成された金属製の板バネ１８を支軸１５中央に外嵌合させるとともに、この板バネ１８の一端を底壁１ｃ内面に形成されている矩形状の凹部１１ａ（シャッタ板１１の全面に対応する大きさと厚みを有している）に圧接させ、板バネ１８の他端をシャッタ板１１の内側面（裏面）に圧接させることで当該シャッタ板１１を閉鎖方向に付勢している。
【００２８】
前記シャッタ板１１には、プラグ本体Ｐ１がコネクタハウジング１の嵌合部Ａ手前において若干斜め上方向側から挿入される際に、フェルール１０５（図７参照）先端部がシャッタ板１１前面に接触しないよう窪み状の逃げ部３０が形成されている。すなわち、この逃げ部３０は、フェルール１０５先端側を非接触状態で受け入れるためにシャッタ板１１の開口部１７上側に前面側から内側に向けて略台形状に窪ませた状態（シャッタ板１１の後面では略台形状に突出する）となって形成されている。而して、シャッタ板１１の逃げ部３０はフェルール１０５先端部を非接触状態で受け入れると同時に、プラグ本体Ｐ１のフェルール１０５周囲を覆うよう備えられた円筒状のツマミ１０１の先端開口縁部によってシャッタ板１１が押し退けられて開放されるものとしてある。
【００２９】
また、図６に詳示するように、シャッタ板１１の前面における左右両側および中央上側には、前記嵌合部Ａからプラグ本体Ｐ１を挿入してシャッタ板１１を開放させる際に、当該シャッタ板１１正面に付着した塵芥等がコネクタハウジング１内部に侵入するのを防止するための矩形窪み状となった凹条部３１を形成してある。すなわち、シャッタ板１１正面が平坦に形成されている場合と比べてこのような凹条部３１をシャッタ板１１の正面に設ければコネクタハウジング内部への塵芥等が凹条部３１に留る分コネクタハウジング１内部への侵入防止機能が大幅にアップするものである。そして、前記ツマミ１０１の上部中央および下部左右両側に形成した方向判別用の凸条のガイドキー１０２、１０３ａ、１０３ｂを案内させるための前記嵌合部Ａの上部中央および下部左右両側に形成した挿入ガイド用の凹条のキー溝２２、２２ａ、２２ｂに対応すべく、シャッタ板１１の上部中央および下部左右両側に突部３２が形成されていることで、当該シャッタ板１１の閉鎖回動時にアダプタ本体Ｐ１自体を略密閉型と成してある。さらに、シャッタ板１１の上部左右両側（上部中央の突部３２を介しての左右肩側）には、上部中央の突部３２と連続するように切欠部３３が形成され、シャッタ板１１の開放側回動時に前記ラッチ片２６との接触を回避できるようにしてある。
【００３０】
スリーブホルダ２１のコネクタハウジング１への組付けに際し、先ず、割りスリーブ２４の一端側を両円筒２５ａ、２５ｂのいずれか一方に内装しておき、コネクタハウジング１の開口部Ｄよりスリーブホルダ２１が挿入され、スリット部Ｓに突起２７が係合されると同時に、一方の接合端壁部３ａが他方の接合端壁部３ｂと接合する。このとき、割りスリーブ２４の他端側が円筒２５ａ、２５ｂのいずれか他方に内装された状態となって接合端壁部３ａ、３ｂを介して両円筒２５ａ、２５ｂが後端面を当接し、当該両円筒２５ａ、２５ｂがそれぞれ反対向きに突出配置された状態となる。これにより、隣接する両円筒２５ａ、２５ｂ内に、一個の割りスリーブ２４が内挿された状態となって配置される。そして、シャッタ板１１の開口部１７を介して、板バネ１８を支軸１５中央に外嵌合させてから、当該シャッタ板１１の支軸１５両端の突部１５ａを底壁１ｃの軸孔１６に載せ、底壁１ｃ上に、正面視略コ字状の上側壁１ａの左右に配設された一対の側壁１ｂをそれぞれ組み込む。
【００３１】
このとき、図２に示すように、板バネ１８の一端が底壁１ｃの凹部１１ａに圧接され、他端がシャッタ板１１の逃げ部３０後壁面に圧接されることで、当該シャッタ板１１を、一方の嵌合部Ａにおける嵌合端を閉鎖する方向に略傾斜状態で付勢する。なお、シャッタ板１１の開放時では、板バネ１８の一端が逃げ部３０の後壁面と底壁１ｃの凹部１１ａとによって挟持される。
【００３２】
次に、以上のように構成された形態についての使用の一例について説明する。
アダプタ本体Ｑの使用に際し、先ず、図７（ａ）に示すように、コネクタハウジング１の一方の嵌合部Ａに一方のプラグ本体Ｐ１を嵌合させる前では、シャッタ板１１は、略Ｌ字型の板バネ１８の拡開方向への弾発力により、一方の嵌合部Ａにおける嵌合端を閉鎖している。このとき、シャッタ板１１の上部中央の突部３２は、コネクタハウジング１の上部内壁によって係止されている。
【００３３】
図７（ｂ）に示すように、シャッタ板１１に対してプラグ本体Ｐ１がコネクタハウジング１の嵌合部Ａ手前から挿入されると、逃げ部３０はフェルール１０５先端部をシャッタ板１１前面に接触させずに、フェルール１０５周囲を覆う円筒状のツマミ１０１の先端開口縁部によって、閉鎖中のシャッタ板１１が押され、板バネ１８の弾発力に抗して嵌合端内側に当該シャッタ板１１が傾倒する。
【００３４】
このとき、シャッタ板１１の可動部側面（上部肩側の切欠部３３と、下部左右両側の突部３２と、を含む側面）は、各２段となった左右の扇型の窪み部１１ｂ内に係合しつつシャッタ板１１自体を開方向（下側）に揺動するが、シャッタ板１１の上部左右両側（上部中央の突部３２を介しての左右肩側）には、上部中央の突部３２と連続するように切欠部３３が形成されているため、シャッタ板１１の開放側回動時に前記ラッチ片２６との接触が回避される。すなわち、開放側回動時にシャッタ板１１の切欠部３３はラッチ片２６の根元箇所を通過させるため、アダプタ本体Ｑ全体の長さが小さくても、シャッタ板１１の開放側回動時にシャッタ板１１自体は前記ラッチ片２６と干渉しないものとなる。
【００３５】
図７（ｃ）に示すように、プラグ本体Ｐ１をコネクタハウジング１の嵌合部Ａ内へ更に押し込むと、上記したコネクタハウジング１の嵌合部Ａのキー溝２２、２３ａ、２３ｂの存在により、挿入過程に伴ってプラグ本体Ｐ１自体が自然に水平状態となって挿入される。
【００３６】
図７（ｄ）に示すように、プラグ本体Ｐ１が嵌合部Ａ内へ完全に押し込まれ、フェルール１０５が一方の円筒２５ａに嵌合した際には、板バネ１８の弾発力によって、シャッタ板１１と、コネクタハウジング１の上側壁１ａとの間でプラグ本体Ｐ１がしっかりと挟持された状態となって接続作業が完了する。このとき、板バネ１８の一端は、逃げ部３０の後壁面と底壁１ｃの凹部１１ａとによって挟持された状態となる。而して、プラグ本体Ｐ１のフェルール１０５と、アダプタ本体Ｑ内に、他方の開口部から嵌合されている他のプラグ本体Ｐ１（図示せず）のフェルール１０５とがアダプタ本体Ｑ内にて突き合わされ、両コア同志が突き合わせ接続される。
【符号の説明】
【００３７】
Ｐ１                        プラグ本体
Ｑ                          アダプタ本体
Ａ                          一方の嵌合部
Ｂ                          他方の嵌合部
Ｄ                          開口部
Ｋ                          係止片
Ｓ                          スリット部
Ｌ                          取付フランジ
１                          コネクタハウジング
１ａ                        上側壁
１ｂ                        左右の側壁
１ｃ                        底壁
１ｄ                        傾斜部
３ａ、３ｂ                  接合端壁部
１１                        シャッタ板
１１ａ                      凹部
１１ｂ                      窪み部
１５                        支軸
１５ａ                      突部
１６                        軸孔
１７                        開口部
１８                        板バネ
２１                        スリーブホルダ
２１ａ                      上側壁
２１ｂ                      左右の側壁
２１ｃ                      底壁
２２、２３ａ、２３ｂ        キー溝
２４                        割りスリーブ
２５ａ                      一方の円筒
２５ｂ                      他方の円筒
２６                        ラッチ片
２７                        突起
３０                        逃げ部
３１                        凹条部
３２                        突部
３３                        切欠部
１０１                      ツマミ
１０２、１０３ａ、１０３ｂ  ガイドキー
１０４                      係止凹部
１０５                      フェルール
【図１】
2015219346.tif 000003
【図２】
2015219346.tif 000004
【図３】
2015219346.tif 000005
【図４】
2015219346.tif 000006
【図５】
2015219346.tif 000007
【図６】
2015219346.tif 000008
【図７．１】
2015219346.tif 000009
【図７．２】
2015219346.tif 000010
【図８】
2015219346.tif 000011